(57)【要約】【課題】複数の点灯装置のいずれに対応する二次電池またはランプに異常が発生しているかを容易に確認できる照明装置を提供することにある。【解決手段】照明装置は、複数のランプ１を点灯させる複数の点灯装置２と、複数の点灯装置２それぞれに対応する形に設けられた非常用電源用の二次電池３と、二次電池３の状態を報知する電池状態表示灯４と、ランプ１の状態を報知するランプ状態表示灯５と、二次電池の点検の開始に用いられる点検スイッチ６と、異常が発生しているランプ１または二次電池３の特定に用いられる確認スイッチ７とを具備し、点灯装置２は、対応するランプ１を点灯させる点灯回路部と、常用電源の電力が得られなくなった非常時に二次電池３の電力を点灯回路部に供給する制御部とを備え、制御部は、確認スイッチ７が操作された際に、二次電池３とランプ１の少なくとも一方に異常があると判断していれば、ランプ１を点滅させる。【選択図】図１
2009054492.tif 000002
【特許請求の範囲】
【請求項１】
１乃至複数のランプを点灯させる複数の点灯装置と、複数の点灯装置それぞれに対応する形に設けられた非常用電源用の二次電池と、二次電池の状態を報知する電池状態報知手段と、ランプの状態を報知するランプ状態報知手段と、二次電池の点検の開始に用いられる点検スイッチと、異常が発生しているランプまたは二次電池の特定に用いられる確認スイッチとを具備し、
点灯装置は、常用電源から供給された電力で対応する二次電池を充電する充電部と、対応するランプを点灯させる点灯回路部と、常用電源から点灯回路部に電力が供給されなくなった非常時は二次電池から点灯回路部に電力を供給して点灯回路部によりランプを点灯させる制御部とを備え、
制御部は、少なくとも点検スイッチが操作された際に二次電池が寿命であるか否かの判断を行う電池異常判断機能と、ランプが異常であるか否かの判断を行うランプ異常判断機能と、電池異常判断機能により二次電池が異常であると判断されると電池状態報知手段に二次電池が異常であることの報知を行わせる電池状態報知機能と、ランプ異常判断機能によりランプが異常であると判断されるとランプ状態報知手段にランプが異常であることの報知を行わせるランプ状態報知機能と、
確認スイッチが操作された際に電池異常判断機能とランプ異常判断機能とによって二次電池とランプの少なくとも一方に異常があると判断されていれば、ランプを点滅させる確認機能とを有していることを特徴とする照明装置。
【請求項２】
上記点検スイッチと上記確認スイッチは同一のスイッチからなり、
上記制御部は、上記スイッチが操作された際に、上記電池異常判断機能と上記ランプ異常判断機能とによって上記二次電池と上記ランプのいずれにも異常がないと判断されていれば上記電池異常判断機能を動作させ、上記電池異常判断機能と上記ランプ異常判断機能とによって上記二次電池と上記ランプの少なくとも一方に異常があると判断されていれば、上記確認機能を動作させることを特徴とする請求項１記載の照明装置。
【請求項３】
上記確認機能は、上記二次電池に異常があるときと上記ランプに異常があるときとで、上記ランプを異なる点滅パターンで点滅させることを特徴とする請求項１または２記載の照明装置。
【発明の詳細な説明】
【技術分野】
【０００１】
本発明は、常用電源からの給電が停止された際に、非常用電源からの給電により動作する照明装置に関するものである。
【背景技術】
【０００２】
従来から、災害や停電などによって常用電源（商用電源）から電力が得られなくなった際に、二次電池などの非常用電源により動作する誘導灯や、非常灯などの非常用の照明装置が提供されている。この種の照明装置は、火災や地震などの災害によって常用電源からの給電が停電した際に二次電池からなる非常用電源でランプ（光源）を点灯、点滅させるものであり、二次電池による点灯、点滅が正常に行われているか否かの点検を定期的に行うように消防庁告示や、消防法施行規則、建築基準法施行令などで義務付けられている。
【０００３】
そのため、このような照明装置には、常用電源（商用電源）からランプへの電力供給を強制的に停止して擬似的な停電状態とするための点検スイッチなどが設けられており、点検者が照明装置の装置本体から垂下されている引き紐を操作して擬似的な停電状態とすることで二次電池の点検が行えるようになっている。
【０００４】
ここで、上記の消防庁告示などの規定によると、誘導灯の場合には二次電源からの電力供給により連続２０分間又は６０分間、非常灯の場合には二次電源からの電力供給により連続３０分間、ランプを有効に点灯させなければならない。ここで、従来から提供されている誘導灯などに用いられている点検スイッチは、引き紐の操作時のみオンとなって、常用電源からランプへの電力供給を停止するから、点検者は、引き紐に重りなどを吊り下げて点検スイッチがオンである状態を維持し、二次電源によるランプの点灯が上記の規定を満足するか否かを監視しなければならなかった。このような誘導灯や非常灯などの照明装置は、建物内の複数箇所に設置されるものであるから、これら複数の照明装置を一つ一つ見て回って点検する必要があり、従来の照明装置の点検作業は非常に手間がかかるものとなっていた。
【０００５】
そこで、二次電池の点検作業の自動化並びに省力化を図った照明装置が提案されている（例えば、特許文献１参照）。
【０００６】
上記特許文献１に示すような照明装置は、点検者が短時間だけ点検スイッチをオンすれば、点検用のシーケンスによって所定の点検作業を実行して、二次電池に異常（例えば二次電池が寿命）があれば表示手段により二次電池に異常があることを表示するように構成されている。
【０００７】
ところで、上記の誘導灯などでは、消防法の規定により避難口であることを示すシンボルなどが付された表示部を背後から照明するバックライトが用いられる。このようなバックライトとしては、所謂サイドライト方式のバックライトがよく用いられている。このようなサイドライト方式のバックライトは、厚み方向の一面が発光面となる導光板と、厚み方向に直交する方向における導光板の側面に配置され当該側面より導光板内に光を入射させる光源とで構成されている（例えば、特許文献２参照）。
【特許文献１】特開平８−１８５９８７号公報
【特許文献２】特開２００１−２６６６３１号公報
【発明の開示】
【発明が解決しようとする課題】
【０００８】
ところで、近年では、誘導灯などに用いる表示板が大型化されてきており、これに伴ってバックライトに用いる導光板の大型化が望まれている。ここで、導光板を大型化した際には、一つの光源では発光面全体を均一に光らせることが難しいため、複数の光源が用いられる。このように光源の数を増やした際には、当然ながら、光源を点灯させるための点灯装置、および当該点灯装置用の非常電源となる二次電池の数も増加することになる。
【０００９】
誘導灯などの非常用の照明装置では、上述したように定期的な点検を行う必要があり、このような点検は複数の点灯装置全てについて行わなければならないため、複数の点灯装置それぞれに点検スイッチを設けていたのでは、照明装置の点検作業が非常に煩わしいものとなってしまう。そして、各点灯装置に対応する２次電池やランプなどが異常である場合には、これを報知する表示灯などの報知手段が必要となるが、このような報知手段を複数の点灯装置それぞれに対応する形で複数設けることは、製造コストの増加、および外観の悪化という点で好ましくない。
【００１０】
そこで、１つの点検スイッチにより複数の点灯装置の点検が行えるようにするとともに、少なくとも１つの点灯装置に対応する２次電池やランプなどに異常があると判断されれば、報知手段により報知を行わせることが考えられる。
【００１１】
このようにすれば、点検作業が容易になり、複数の点灯装置それぞれに対応する形に報知手段を設ける必要がなくなるが、逆に、複数の点灯装置のいずれに対応する二次電池またはランプに異常が発生しているかまでは確認することができなくなってしまう。
【００１２】
本発明は上述の点に鑑みて為されたもので、その目的は、複数の点灯装置のいずれに対応する二次電池またはランプに異常が発生しているかを容易に確認できる照明装置を提供することにある。
【課題を解決するための手段】
【００１３】
上述の課題を解決するために、請求項１の発明では、１乃至複数のランプを点灯させる複数の点灯装置と、複数の点灯装置それぞれに対応する形に設けられた非常用電源用の二次電池と、二次電池の状態を報知する電池状態報知手段と、ランプの状態を報知するランプ状態報知手段と、二次電池の点検の開始に用いられる点検スイッチと、異常が発生しているランプまたは二次電池の特定に用いられる確認スイッチとを具備し、点灯装置は、常用電源から供給された電力で対応する二次電池を充電する充電部と、対応するランプを点灯させる点灯回路部と、常用電源から点灯回路部に電力が供給されなくなった非常時は二次電池から点灯回路部に電力を供給して点灯回路部によりランプを点灯させる制御部とを備え、制御部は、少なくとも点検スイッチが操作された際に二次電池が寿命であるか否かの判断を行う電池異常判断機能と、ランプが異常であるか否かの判断を行うランプ異常判断機能と、電池異常判断機能により二次電池が異常であると判断されると電池状態報知手段に二次電池が異常であることの報知を行わせる電池状態報知機能と、ランプ異常判断機能によりランプが異常であると判断されるとランプ状態報知手段にランプが異常であることの報知を行わせるランプ状態報知機能と、確認スイッチが操作された際に電池異常判断機能とランプ異常判断機能とによって二次電池とランプの少なくとも一方に異常があると判断されていれば、ランプを点滅させる確認機能とを有していることを特徴とする。
【００１４】
請求項１の発明によれば、二次電池またはランプが異常であるときに、確認スイッチを操作すれば、異常であるランプまたは二次電池に対応する点灯装置によって当該点灯装置に対応するランプが点滅するので、複数の点灯装置のいずれにおいて二次電池またはランプに異常が発生しているかを容易に確認できる。
【００１５】
請求項２の発明では、請求項１の発明において、上記点検スイッチと上記確認スイッチは同一のスイッチからなり、上記制御部は、上記スイッチが操作された際に、上記電池異常判断機能と上記ランプ異常判断機能とによって上記二次電池と上記ランプのいずれにも異常がないと判断されていれば上記電池異常判断機能を動作させ、上記電池異常判断機能と上記ランプ異常判断機能とによって上記二次電池と上記ランプの少なくとも一方に異常があると判断されていれば、上記確認機能を動作させることを特徴とする。
【００１６】
請求項２の発明によれば、部品点数および組立工数を削減でき、製造コストの低減が図れる。
【００１７】
請求項３の発明では、請求項１または２の発明において、上記確認機能は、上記二次電池に異常があるときと上記ランプに異常があるときとで、上記ランプを異なる点滅パターンで点滅させることを特徴とする。
【００１８】
請求項３の発明によれば、二次電池とランプのどちらに異常が発生しているのかを容易に確認できる。
【発明の効果】
【００１９】
本発明は、複数の点灯装置のいずれに対応する二次電池またはランプに異常が発生しているかを容易に確認できるという効果を奏する。
【発明を実施するための最良の形態】
【００２０】
（実施形態１）
本実施形態の照明装置は、例えば天井や天井近くの壁面などに設置される避難口誘導灯などの非常用の照明装置であり、図１に示すように、複数（図示例では２つ）のランプ１を点灯させる複数（図示例では２つ）の点灯装置２と、複数の点灯装置２それぞれに対応する形に設けられた非常用電源用の二次電池３と、二次電池３の異常を報知する電池状態報知手段となる電池状態表示灯４と、ランプＬの異常を報知するランプ状態報知手段となるランプ状態表示灯５と、二次電池３の点検の開始に用いられる点検スイッチ６と、異常が発生しているランプ１または二次電池３の特定に用いられる確認スイッチ７とを具備している。ここで、２つの点灯装置２に対して電池状態表示灯４と、ランプ状態表示灯５と、点検スイッチ６と、確認スイッチ７とが１つずつ設けられている。なお、ランプ１としては、例えば白熱ランプや、放電ランプなどを用いている。また、電池状態表示灯４やランプ状態表示灯５としては、発光ダイオード（ＬＥＤ）などを用いている。
【００２１】
点灯装置２は、図２（ａ）に示すように、常用電源となる商用電源ＡＣから供給される交流電力を直流電力に変換する電源部２０と、電源部２０から供給される直流電力（商用電源ＡＣから供給された電力）により対応する二次電池３を充電する充電部２１と、対応するランプ１を点灯させる点灯回路部２２と、電源部２０から点灯回路部２２への給電路を開閉するトランジスタなどのスイッチング素子２３と、二次電池３から点灯回路部２２への給電路を開閉するトランジスタなどのスイッチング素子２４と、点灯装置２の全体的な制御を行う制御部２５とを備えている。点灯装置２には、図１に示すように、電池状態表示灯４と、ランプ状態表示灯５と、点検スイッチ６と、確認スイッチ７とが接続されている。
【００２２】
また点灯装置２は、図３（ａ）に示すように、電源部２０または二次電池３から供給される直流電力から電池状態表示灯４点灯用の直流電力を生成する電池状態報知用電源部２６を備えている。電池状態報知用電源部２６の出力端は、逆流阻止用のダイオードＤ１を介して電池状態表示灯４に接続されるとともに、ｎｐｎ型のトランジスタからなるスイッチング素子Ｑ１を介してグラウンドに接続されている。したがって、スイッチング素子Ｑ１がオフであれば、電池状態表示灯４が点灯し、スイッチング素子Ｑ１がオンであれば、電池状態表示灯４が消灯する。
【００２３】
さらに、点灯装置２は、図３（ｂ）に示すように、電源部２０または二次電池３から供給される直流電力からランプ状態表示灯５点灯用の直流電力を生成するランプ状態報知用電源部２７を備えている。ランプ状態報知用電源部２７の出力端は、ｐｎｐ型のトランジスタからなるスイッチング素子Ｑ２と逆流阻止用のダイオードＤ２の直列回路を介してランプ状態表示灯５に接続されている。したがって、スイッチング素子Ｑ２がオンであれば、ランプ状態表示灯５が点灯し、スイッチング素子Ｑ２がオフであれば、ランプ状態表示灯５が消灯する。
【００２４】
なお、電源部２０は、全波整流回路や平滑回路、降圧チョッパ回路などを組み合わせて構成され、充電部２１は、電源部２０から供給された直流電力により二次電池３の充電に適した直流電力に変換して二次電池３に与えるＤＣ−ＤＣコンバータなどにより構成され、点灯回路部２２は、昇降圧チョッパ回路や、ランプ１が放電ランプである場合にはインバータ回路などを用いて構成され、報知用電源部２６，２７は、電源部２０あるいは二次電池３の直流電力により５Ｖの直流電圧を生成して出力するレギュレータなどにより構成されており、これらの回路構成については従来から周知のものを用いることができるから、説明を省略する。
【００２５】
制御部２５は、例えば、ＩＣチップからなり、二次電池３が充電されているか否かを検出する充電検出部２５ａと、二次電池３の電圧（以下、「電池電圧」と称する）を検出する電圧センサからなる電圧検出部２５ｂと、ランプ１が点灯しているか否かを検出する点灯検出部２５ｃと、ランプ１の累積点灯時間の計時（カウント）用の計時装置（カウンタ）からなる点灯時間カウント部２５ｄと、ＥＥＰＲＯＭなどの不揮発性メモリからなる記憶部２５ｅと、二次電池３やランプ１の異常判断などを行う判断部２５ｆとを備えている。また、制御部２５は、商用電源ＡＣより電力が供給されているか否かを判断する異常判断部（図示せず）を備え、異常検出部は商用電源ＡＣから電力が供給されていないと判断すると、非常信号を出力する。なお、このような異常判断部は、例えば、電源部２０の出力電圧を検出する電圧センサなどにより構成することができる。
【００２６】
充電検出部２５ａは、充電部２１から二次電池３に流れる電流（充電電流）を検出する電流センサを有し、当該電流センサにより得られた上記充電電流が所定値未満であれば、充電部２１によって二次電池３が充電されていないと判断して非充電信号を出力する。
【００２７】
点灯検出部２５ｃは、点灯回路部２２からランプ１に流れる電流（ランプ電流）を検出する電流センサを有し、当該電流センサにより得られた上記ランプ電流が所定値未満であれば、ランプ１が点灯していない（消灯している）と判断して消灯信号を出力する。
【００２８】
判断部２５ｆは、制御部２５の中核を担うものであって、例えばＣＰＵなどの演算処理手段により構成されている。
【００２９】
次に、判断部２５ｆの動作について説明する。判断部２５ｆは、上記異常判断部から上記非常信号が入力されるまでは、商用電源ＡＣから電力が供給されている常時であると判断し、スイッチング素子２３をオン、スイッチング素子２４をオフし、電源部２０から点灯回路部２２に電力を供給してランプ１を点灯させ、上記非常信号が入力されると、商用電源ＡＣから電力が供給されていない非常時であると判断し、スイッチング素子２３をオフ、スイッチング素子２４をオンし、二次電池３から点灯回路部２２に電力を供給してランプ１を点灯させる。つまり、判断部２５ｆは、常時は電源部２０（すなわち商用電源ＡＣ）から点灯回路部２２に電力を供給して点灯回路部２２によりランプ１を点灯させ、商用電源ＡＣから点灯回路部２２に電力が供給されなくなった非常時は二次電池３から点灯回路部２２に電力を供給して点灯回路部２２によりランプ１を点灯させる。
【００３０】
また、判断部２５ｆは、点検スイッチ６が操作されたことを検知すると、スイッチング素子２３をオフ、スイッチング素子２４をオンし、電源部２０から点灯回路部２２への給電路を開き、二次電池３から点灯回路部２２への給電路を閉じて、二次電池３の電力を点灯回路部２２に供給してランプ１を所定時間点灯させることで、二次電池３に蓄積された電荷を強制的に放電させる（このとき充電部２１は二次電池３の充電を停止する）。ここで、上記所定時間は、例えば、上記消防庁告示により定められた時間以上の時間である。判断部２５ｆは、上記所定時間経過後の二次電池３の電池電圧を電圧検出部２５ｂより取得し、電圧検出部２５ｂにより検出した上記電池電圧と、基準電圧（例えば二次電池３によりランプ１を有効に点灯するために最低限必要な電圧）とを比較し、上記電池電圧が放電基準電圧以上であれば、二次電池３が正常であると判断し、上記電池電圧が放電基準電圧を下回れば、二次電池３が寿命であると判断する。つまり、判断部２５ｆは、点検スイッチ６が操作された際に二次電池３が寿命であるか否かの判断（二次電池３の点検）を行う。
【００３１】
さらに、判断部２５ｆは、上記充電検出部２５ａから上記非充電信号が入力されると、上記異常判断部から上記非常信号が入力されている場合、およびスイッチング素子２４をオンとしている場合を除き、二次電池３が接続されていない判断する。つまり、判断部２５ｆは、二次電池３が未接続であるか否かの判断を行う。
【００３２】
このように判断部２５ｆは、二次電池３が寿命であるか否かおよび未接続であるか否か、つまり二次電池３が異常であるか否かの判断を行う。
【００３３】
一方、判断部２５ｆは、点灯時間カウント部２５ｄによりランプ１の点灯時間（累積点灯時間）をカウントする。当該ランプ１の累積点灯時間は、ランプ１が交換された際にリセットされる。そして、判断部２５ｆは、点灯時間カウント部２５ｄによりカウントしたランプ１の点灯時間と、予め記憶部２５ｅに格納されたランプ１の寿命（新しいランプ１の光出力が任意の値以下にまでにかかる時間）とを比較し、ランプ１の点灯時間がランプ１の寿命を越えた際に、ランプ１が寿命であると判断する。
【００３４】
さらに、判断部２５ｆは、スイッチング素子２３またはスイッチング素子２４がオンであるにも関わらず点灯検出部２５ｃより上記消灯信号が入力されると、ランプ１が接続されていない判断する。
【００３５】
このように判断部２５ｆは、ランプ１が寿命であるか否かおよび未接続であるか否か、つまりランプ１が異常であるか否かの判断を行う。
【００３６】
判断部２５ｆは、二次電池３の状態に応じてスイッチング素子Ｑ１を制御し、ランプ１の状態に応じてスイッチング素子Ｑ２を制御する。
【００３７】
ここで、判断部２５ｆは、下記の表１に示すように、二次電池３が異常では（二次電池３が寿命でも未接続でも）ない正常（通常）時は、スイッチング素子Ｑ１をオフして電池状態表示灯４を点灯させ、二次電池３が未接続であれば、スイッチング素子Ｑ１をオンして電池状態表示灯４を消灯させ、二次電池３が寿命であれば、スイッチング素子Ｑ１を所定周期でオン・オフして、電池状態表示灯４を点滅させる。なお、上記所定周期は、人が電池状態表示灯４の点滅を視認できる周期としている。このように判断部２５ｆは、二次電池３の状態（本実施形態では、通常、未接続、寿命）に応じた報知を電池状態表示灯４に行わせる。
【００３８】
【表１】
2009054492.tif 000003
【００３９】
また、判断部２５ｆは、下記の表２に示すように、ランプ１が異常では（ランプ１が寿命でも未接続でも）ない正常（通常）時は、スイッチング素子Ｑ２をオフしてランプ状態表示灯５を消灯させ、ランプ１が未接続であれば、スイッチング素子Ｑ２をオンしてランプ状態表示灯５を点灯させ、ランプ１が寿命であれば、スイッチング素子Ｑ２を所定周期でオン・オフして、ランプ状態表示灯５を点滅させる。なお、上記所定周期は、人がランプ状態表示灯５の点滅を視認できる周期としている。このように判断部２５ｆは、ランプ１の状態（本実施形態では、通常、未接続、寿命）に応じた報知をランプ状態表示灯５に行わせる。
【００４０】
【表２】
2009054492.tif 000004
【００４１】
さらに、本実施形態における判断部２５ｆは、二次電池３とランプ１の両方が正常である場合には、確認スイッチ７が操作されても何らの動作も行わないが、二次電池３とランプ１の少なくとも一方が異常（寿命や未接続）である場合には、確認スイッチ７が操作された際に、スイッチング素子２３のオン・オフを所定の周期で切り替えて、ランプ１を点滅させる。ここで、上記所定の周期は、人がランプ１の点滅を視認できる周期、例えば２Ｈｚとしている。つまり、判断部２５ｆは、確認スイッチ７が操作された際に二次電池３とランプ１の少なくとも一方に異常があると判断されていれば、ランプ１を点滅させる。
【００４２】
上述したように制御部２５の判断部２５ｆは、図２（ｂ）に示すように、常時であれば商用電源ＡＣによりランプ１を点灯させ、非常時であれば二次電池３によりランプ１を点灯させる機能（点灯機能）Ｆ１と、少なくとも、点検スイッチ６が操作されたときに二次電池３が寿命であるか否かの判断（二次電池３の点検）を行う機能（電池異常判断機能）Ｆ２と、ランプ１が異常であるか否かの判断を行う機能（ランプ異常判断機能）Ｆ３と、電池異常判断機能Ｆ２により二次電池３が異常であると判断されると電池状態表示灯４に二次電池３が異常であることの報知を行わせる機能（電池状態報知機能）Ｆ４と、ランプ異常判断機能Ｆ３によりランプ１が異常であると判断されるとランプ状態表示灯５にランプ１が異常であることの報知を行わせる機能（ランプ状態報知機能）Ｆ５と、確認スイッチ７が操作された際に電池異常判断機能Ｆ２とランプ異常判断機能Ｆ３とによって二次電池３とランプ１の少なくとも一方が異であると判断されていれば、ランプ１を点滅させる機能（確認機能）Ｆ６とを有しており、これらの機能Ｆ１〜Ｆ６は、判断部２５ｆを構成するマイコンに所定の制御動作を行わせるプログラムにより実現されている。
【００４３】
次に、本実施形態の照明装置の動作について説明する。なお、以下の説明では２つの点灯装置２を区別するために必要に応じて一方の点灯装置２を符号２Ａで表し、他方の点灯装置２を符号２Ｂで表す。また、必要に応じて一方の点灯装置２Ａに対応するランプ１を符号１Ａで表し、他方の点灯装置２Ａに対応するランプ１を符号１Ｂで表し、一方の点灯装置２Ａに対応する二次電池３を符号３Ａで表し、他方の点灯装置２Ｂに対応する二次電池３を符号３Ｂで表す。
【００４４】
このような照明装置では、各点灯装置２の点灯機能Ｆ１によって、商用電源ＡＣより電力が供給されている常時は商用電源ＡＣの電力によりランプ１が点灯し、商用電源ＡＣからの電力供給が停止した非常時は二次電池３の電力によりランプ１が点灯する。そして、いずれの場合においても二次電池３、ランプ１それぞれに異常がなければ、電池状態表示灯４は点灯し、ランプ状態表示灯５は消灯している。つまり、本実施形態の照明装置の点灯装置２では、点灯回路部２２と、スイッチング素子２３，２４と、制御部２５とが、ランプ１の点灯制御を行う点灯制御部を構成している。
【００４５】
点検スイッチ６が操作されると、各点灯装置２では、電池異常判断機能Ｆ２によって二次電池３が寿命であるか否かが判断され、その結果、例えば二次電池３Ａが寿命であれば、点灯装置２Ａの電池状態報知機能Ｆ４によって電池状態表示灯４が点滅され、これによって、点灯装置２Ａ，２Ｂのいずれかあるいは両方の二次電池３が異常（寿命）であることが報知される。この状態で、確認スイッチ７が操作されると、二次電池３およびランプ１の両方が正常な点灯装置２Ｂでは、何らの動作も行われないが、二次電池３Ａが寿命である点灯装置２Ａでは、確認機能Ｆ６によって、ランプ１Ａが点滅され、これによって、点灯装置２Ａの二次電池３Ａが寿命であることが確認できる。
【００４６】
また、各点灯装置２の電池異常判断機能Ｆ２によって二次電池３が未接続であるか否かが判断された結果、例えば二次電池３Ｂが未接続であれば、点灯装置２Ｂの電池状態報知機能Ｆ４によって電池状態表示灯４が点灯され、これによって、点灯装置２Ａ，２Ｂのいずれかあるいは両方の二次電池３が異常（未接続）であることが報知される。この状態で、確認スイッチ７が操作されると、二次電池３およびランプ１の両方が正常な点灯装置２Ａでは、何らの動作も行われないが、二次電池３Ｂが未接続である点灯装置２Ｂでは、確認機能Ｆ６によって、ランプ１Ｂが点滅され、これによって、点灯装置２Ｂの二次電池３Ｂが未接続であることが確認できる。
【００４７】
また、各点灯装置２のランプ異常判断機能Ｆ３によってランプ１が寿命であるか否かが判断され、その結果、例えばランプ１Ａ，１Ｂの両方が寿命であれば、点灯装置２Ａ，２Ｂの電池状態報知機能Ｆ４によってランプ状態表示灯５が点滅され、これによって、点灯装置２Ａ，２Ｂのいずれかあるいは両方のランプ１が異常（寿命）であることが報知される。この状態で、確認スイッチ７が操作されると、ランプ１Ａ，１Ｂの両方が寿命であるため、点灯装置２Ａ，２Ｂそれぞれの確認機能Ｆ６によって、ランプ１Ａ，１Ｂの両方が点滅され、これによって、両方の点灯装置２のランプ１が寿命であることが確認できる。
【００４８】
以上述べた本実施形態の照明装置によれば、二次電池３またはランプ１が異常であるときに、確認スイッチ７を操作すれば、異常であるランプ１または二次電池３に対応する点灯装置２によって当該点灯装置２に対応するランプ１が点滅するので、複数の点灯装置２のいずれにおいて二次電池３またはランプ１に異常が発生しているかを容易に確認でき、交換対象の二次電池３やランプ１を特定できる。
【００４９】
なお、本実施形態の照明装置は点灯装置２を２つ備えているが、点灯装置２の数は３以上であってもよく、１の点灯装置２に接続するランプ１の数も２つに限る趣旨ではなく、１つまたは３つ以上であってもよい。また、本実施形態の照明装置では制御部２５をＩＣチップとしたがこれに限定する趣旨ではなく、複数の回路部品により構成されるものであってもよい。また、電池状態報知手段やランプ状態報知手段は、発光ダイオードなどからなる電池状態表示灯４やランプ状態表示灯５に限られるものではなく、例えば聴覚を通じて報知を行うものであってもよく、要は報知が行えるものであればよい。また、本実施形態における点灯装置２の構成はあくまでも一例であってこれに限定する趣旨ではなく、本発明の趣旨を逸脱しない程度の変更は可能である。この点は、本実施形態の照明装置の他の構成要素についても同様である。また、これらの点は後述する実施形態２，３においても同様である。
【００５０】
（実施形態２）
ところで、二次電池３の点検は、二次電池３およびランプ１のいずれもが正常である場合に行わなければ正しい結果が得られないため、点検スイッチ６は、二次電池３およびランプ１の少なくとも一方が異常である場合には操作されることがない。一方、確認スイッチ７は、どの点灯装置２に対応する二次電池３またはランプ１が異常であるかを特定するためのものであるから、二次電池３およびランプ１のいずれもが正常である場合には操作されることがない。
【００５１】
本実施形態の照明装置は、上記の点に鑑み、点検スイッチ６と確認スイッチ７とを備える代わりに、１つの操作スイッチ（図示せず）を備えている点で実施形態１と異なっている。また、本実施形態の照明装置は、点灯装置２の制御部２５における判断部２５ｆの構成が実施形態１と異なっている。なお、本実施形態の照明装置における他の構成は実施形態１と同様であるから説明を省略する。
【００５２】
本実施形態における判断部２５ｆは、上記操作スイッチが操作された際に、電池異常判断機能Ｆ２とランプ異常判断機能Ｆ３とによって二次電池３とランプ１の両方が正常である（異常ではない）と判断されていれば、電池異常判断機能Ｆ２を動作させ、二次電池３の点検を行い、電池異常判断機能Ｆ２とランプ異常判断機能Ｆ３とによって二次電池３とランプ１の少なくとも一方が異常（寿命または未接続）であると判断されていれば、確認機能Ｆ６を動作させ、どの点灯装置２に対応する二次電池３またはランプ１に異常があるかの確認を行う。
【００５３】
この動作をまとめると下表３のようになる。
【００５４】
【表３】
2009054492.tif 000005
【００５５】
すなわち、本実施形態の照明装置では、上記操作スイッチが、二次電池３およびランプ１のいずれもが正常である場合には点検スイッチ６として機能し、二次電池３およびランプ１の少なくとも一方が異常である場合には確認スイッチ７として機能する。つまり、本実施形態の照明装置では、点検スイッチ６と確認スイッチ７は同一のスイッチからなる。
【００５６】
以上述べた本実施形態の照明装置によれば、実施形態１と同様の効果を奏する上に、点検スイッチ６と確認スイッチ７とを一つのスイッチが兼用しているから、新たに確認スイッチ７を設ける必要がなくなり、制御部２５の判断部２５ｆのプログラムを変更するだけでよく、ハードウェア的な変更をしなくて済むから、実施形態１に比べて部品点数および組立工数を削減でき、製造コストの低減が図れる。
【００５７】
なお、本実施形態の構成は後述する実施形態３にも採用できる。
【００５８】
（実施形態３）
本実施形態の照明装置は、点灯装置２の制御部２５における判断部２５ｆの構成が実施形態１と異なっており、その他の構成は実施形態１と同様であるから説明を省略する。
【００５９】
本実施形態における判断部２５ｆは、確認機能Ｆ６による動作内容が実施形態１と異なっている。すなわち、本実施形態における確認機能Ｆ６は、二次電池３に異常があるときはランプ１を電池異常用の点滅パターンで点滅させ、ランプ１に異常があるときはランプ１をランプ異常用の点滅パターンで点滅させる。つまり、確認機能Ｆ６は、二次電池３に異常があるときとランプ１に異常があるときとで、ランプ１を異なる点滅パターンで点滅させる。本実施形態では、電池異常用の点滅パターンの周期を、ランプ異常用の点滅パターンの周期よりも長くしている。
【００６０】
また、本実施形態における確認機能Ｆ６は、点灯装置２に対応するランプ１と二次電池３の両方が異常である場合には、電池異常用の点滅パターンとランプ異常用の点滅パターンとを交互に繰り返す形でランプ１を点滅させ、これによって、ランプ１と二次電池３の両方が異常であることを報知する。
【００６１】
次に、本実施形態の照明装置の動作について説明する。まず、いずれの二次電池３、ランプ１にも異常がなければ、電池状態表示灯４は点灯し、ランプ状態表示灯５は消灯している。
【００６２】
ここで、点灯装置２Ａに対応するランプ１Ａが寿命であり、点灯装置２Ｂに対応する二次電池３Ｂが寿命である場合、照明装置の電池状態表示灯４とランプ状態表示灯５の両方が点滅することになる。この状態で確認スイッチ７を操作すると、点灯装置２Ａのランプ１Ａが点滅するとともに、点灯装置２Ｂのランプ１Ｂも点滅する。このとき、点灯装置２Ａではランプ１Ａが寿命であり、点灯装置２Ｂでは二次電池３Ｂが寿命であるから、ランプ１Ａはランプ異常用の点滅パターンで点滅し、ランプＢは電池異常用の点滅パターンで点滅する。そのため、ランプ１が寿命なのは点灯装置２Ａであり、二次電池３が寿命なのは点灯装置２Ｂであることが容易に確認できる。
【００６３】
また、点灯装置２Ａに対応するランプ１Ａおよび二次電池３Ａが寿命であり、点灯装置２Ｂに対応する二次電池３Ｂが寿命である場合、照明装置の電池状態表示灯４とランプ状態表示灯５の両方が点滅することになる。この状態で確認スイッチ７を操作すると、点灯装置２Ａのランプ１Ａが点滅するとともに、点灯装置２Ｂのランプ１Ｂも点滅する。このとき、点灯装置２Ａではランプ１Ａおよび二次電池３Ａが寿命であり、点灯装置２Ｂでは二次電池３Ｂが寿命であるから、ランプ１Ａはランプ異常用の点滅パターンと電池異常用の点滅パターンとを交互に繰り返す形で点滅し、ランプ１Ｂは電池異常用の点滅パターンで点滅する。そのため、ランプ１が寿命なのは点灯装置２Ａであり、二次電池３が寿命なのは点灯装置２Ａ，２Ｂの両方であることが確認できる。
【００６４】
つまり、本実施形態の照明装置では、複数の点灯装置２において同時にランプ１や二次電池３が異常となった場合でも、各点灯装置２において異常であるのがランプ１、または二次電池３、あるいはその両方なのかを容易に確認することができる。
【００６５】
したがって、本実施形態の照明装置によれば、実施形態１と同様の効果を奏する上に、確認スイッチ７を操作した際に、二次電池３とランプ１のどちらに異常が発生しているのかを容易に確認できる。
【００６６】
ところで、上述の例では確認機能Ｆ６は、電池異常用の点滅パターンの周期を、ランプ異常用の点滅パターンの周期よりも長くし、二次電池３とランプ１との両方が異常であるときは、電池異常用の点滅パターンとランプ異常用の点滅パターンとを交互に繰り返す形でランプ１を点滅させていたが、ランプ１の点滅パターンとしては、例えば図４（ｃ）〜（ｅ）に示すような点滅パターンであってもよい。
【００６７】
ここで、二次電池３が寿命であるときのランプ１の点滅パターン（図４（ｃ）参照）は、二次電池３が寿命であるときの電池状態表示灯４の点滅パターン（図４（ａ）参照）と同じ点滅パターンとするとともに当該電池状態表示灯４の点滅パターンに同期させてあり、ランプ１が寿命であるときのランプ１の点滅パターン（図４（ｄ）参照）は、ランプ１が寿命であるときのランプ状態表示灯５の点滅パターン（図４（ｂ）参照）と同じ点滅パターンとするとともに当該ランプ状態表示灯５の点滅パターンと同期させてある。また、二次電池３およびランプ１の両方が寿命であるときのランプ１の点滅パターン（図４（ｅ）参照）は、二次電池３が寿命であるときのランプ１の点滅パターン（図４（ｃ）参照）とランプ１が寿命であるときのランプ１の点滅パターン（図４（ｄ）参照）とを合成した点滅パターンとしている。
【００６８】
このような場合、ランプ１の点滅パターンが、電池状態表示灯４の点滅パターンと、ランプ状態表示灯５の点滅パターンとのいずれと同期しているか、あるいは、いずれとも同期していないかによって、ランプ１の点滅パターンが、二次電池３が異常であることを示しているのか、またはランプ１が異常であることを示しているのか、あるいは二次電池３およびランプ１の両方が異常であることを示しているのかを判別することができる。
【００６９】
したがって、複数の点灯装置２において同時にランプ１や二次電池３が異常となった場合でも、各点灯装置２において異常であるのがランプ１、または二次電池３、あるいはその両方なのかを容易に確認することができるから、確認スイッチ７を操作した際に、二次電池３とランプ１のどちらに異常が発生しているのかを容易に確認できる。
【００７０】
本実施形態の確認機能Ｆ６は上記実施形態２にも採用できる。
【図面の簡単な説明】
【００７１】
【図１】本実施形態の照明装置のブロック図である。
【図２】同上の照明装置における点灯装置のブロック図である。
【図３】同上における点灯装置の判断部の説明図である。
【図４】実施形態３の照明装置の動作説明図である。
【符号の説明】
【００７２】
１（１Ａ，１Ｂ）  ランプ
２（２Ａ，２Ｂ）  点灯装置
３（３Ａ，３Ｂ）  二次電池
４    電池状態表示灯（電池状態報知手段）
５    ランプ状態表示灯（ランプ状態報知手段）
６    点検スイッチ
７    確認スイッチ
２１    充電部
２２    点灯回路部
２５    制御部
Ｆ２    電池異常判断機能
Ｆ３    ランプ異常判断機能
Ｆ４    電池状態報知機能
Ｆ５    ランプ状態報知機能
Ｆ６    確認機能
【図１】
2009054492.tif 000006
【図２】
2009054492.tif 000007
【図３】
2009054492.tif 000008
【図４】
2009054492.tif 000009